(57)【要約】【課題】  少ないデータ量で簡易に色変換処理を行うことができるとともに、汎用性の高い画像処理装置及び画像処理方法を提供する。【解決手段】  ４次元の入力色信号のうちＣｉ，Ｍｉ，Ｙｉは前段カラー変換部１１及び後段カラー変換部１２でそれぞれ３次元のパラメータを用いて変換処理を行い、出力色信号のうちのＣｏ，Ｍｏ，Ｙｏを得る。また入力色信号のうちの墨成分であるＫｉについては、前段墨成分変換部１３及び後段墨成分変換部１４でそれぞれ１次元のパラメータを用いて変換処理を行い、出力色信号のうちのＫｏを得る。このように３次元と１次元のパラメータを用いることによって、４次元のパラメータを用いる場合に比べて格段にパラメータのデータ量を低減することができる。また、４次元のカラープロファイルを利用して簡単に３次元及び１次元のパラメータを作成でき、汎用性を確保している。【選択図】  図１
2005094551.tif 000002
【特許請求の範囲】
【請求項１】
墨を含む入力色信号を墨を含む出力色信号に変換する画像処理装置において、前記入力色信号のうち墨以外の色成分について前記出力色信号のうちの墨以外の色成分へ変換するカラー変換手段と、前記カラー変換手段とは独立して前記入力色信号のうちの墨成分について前記出力色信号のうちの墨成分へ変換する墨成分変換手段を有することを特徴とする画像処理装置。
【請求項２】
前記カラー変換手段は、機器に依存した前記入力色信号のうち墨以外の色成分について機器非依存の色信号へ変換する前段色変換処理手段と、前記機器非依存の色信号を機器に依存した前記出力色信号のうちの墨以外の色成分へ変換する後段色変換処理手段を有することを特徴とする請求項１に記載の画像処理装置。
【請求項３】
前記前段色変換処理手段及び前記後段色変換処理手段は、多次元ルックアップテーブルにより構成されていることを特徴とする請求項２に記載の画像処理装置。
【請求項４】
前記墨成分変換手段は、機器に依存した前記入力色信号のうち墨成分について機器非依存の墨信号へ変換する前段墨成分変換処理手段と、前記機器非依存の墨信号を機器に依存した前記出力色信号のうちの墨成分へ変換する後段墨成分変換処理手段を有することを特徴とする請求項１ないし請求項３のいずれか１項に記載の画像処理装置。
【請求項５】
前記前段墨成分変換処理手段及び前記後段墨成分変換処理手段は、１次元ルックアップテーブルにより構成されていることを特徴とする請求項４に記載の画像処理装置。
【請求項６】
前記カラー変換手段は、外部より与えられたパラメータを用いて変換を行うことを特徴とする請求項１ないし請求項５のいずれか１項に記載の画像処理装置。
【請求項７】
前記カラー変換手段及び前記墨成分変換手段は、外部より与えられたパラメータから生成されたカラー変換用のパラメータ及び墨成分変換用のパラメータを用いて変換を行うことを特徴とする請求項１ないし請求項５のいずれか１項に記載の画像処理装置。
【請求項８】
前記前段色変換処理手段及び前記後段色変換処理手段は、それぞれ外部より与えられた前段用のパラメータ及び後段用のパラメータから生成された前段色変換用のパラメータ及び後段色変換用のパラメータを用いて色変換を行うものであり、前記墨成分変換手段は、前記前段用のパラメータ及び前記後段用のパラメータを用いて生成された墨成分変換用のパラメータを用いて変換を行うことを特徴とする請求項２または請求項３のいずれか１項に記載の画像処理装置。
【請求項９】
墨を含む入力色信号を墨を含む出力色信号に変換する画像処理方法において、前記入力色信号のうち墨以外の色成分について前記出力色信号のうちの墨以外の色成分への変換を行い、前記墨以外の色成分についての変換処理とは独立して前記入力色信号のうちの墨成分について前記出力色信号のうちの墨成分へ変換することを特徴とする画像処理方法。
【請求項１０】
前記墨以外の色成分についての変換処理は、機器に依存した前記入力色信号のうち墨以外の色成分について機器非依存の色信号へ変換する前段色変換処理を行った後に、前記機器非依存の色信号を機器に依存した前記出力色信号のうちの墨以外の色成分へ変換する後段色変換処理を行うことを特徴とする請求項９に記載の画像処理方法。
【請求項１１】
前記前段色変換処理及び前記後段色変換処理は、多次元ルックアップテーブルを用いて行うことを特徴とする請求項１０に記載の画像処理方法。
【請求項１２】
前記墨成分についての変換処理は、機器に依存した前記入力色信号のうち墨成分について機器非依存の墨信号へ変換する前段墨成分変換処理を行った後に、前記機器非依存の墨信号を機器に依存した前記出力色信号のうちの墨成分へ変換する後段墨成分変換処理を行うことを特徴とする請求項９ないし請求項１１のいずれか１項に記載の画像処理方法。
【請求項１３】
前記前段墨成分変換処理及び前記後段墨成分変換処理は、１次元ルックアップテーブルを用いて行うことを特徴とする請求項１２に記載の画像処理方法。
【請求項１４】
前記墨以外の色成分についての変換処理は、外部より与えられたパラメータを用いて行うことを特徴とする請求項９ないし請求項１３のいずれか１項に記載の画像処理方法。
【請求項１５】
前記墨以外の色成分についての変換処理及び前記墨成分についての変換処理は、外部より与えられたパラメータから生成されたカラー変換用のパラメータ及び墨成分変換用のパラメータを用いて行うことを特徴とする請求項９ないし請求項１３のいずれか１項に記載の画像処理方法。
【請求項１６】
前記前段色変換処理及び前記後段色変換処理は、それぞれ外部より与えられた前段用のパラメータ及び後段用のパラメータから生成された前段色変換用のパラメータ及び後段色変換用のパラメータを用いて色変換を行うものであり、前記墨成分についての変換処理は、前記前段用のパラメータ及び前記後段用のパラメータを用いて生成された墨成分変換用のパラメータを用いて変換を行うことを特徴とする請求項１０または請求項１１のいずれか１項に記載の画像処理方法。
【発明の詳細な説明】
【技術分野】
【０００１】
本発明は、墨を含む入力色信号を墨を含む出力色信号に変換する画像処理技術に関するものである。
【背景技術】
【０００２】
印刷、広告、出版業界では、画像信号を例えばＣ（シアン）、Ｍ（マゼンタ）、Ｙ（イエロー）、Ｋ（墨）など、墨を含む４色あるいはそれ以上の色数に分解された色信号で取り扱われることが多い。このような色信号は、予めある印刷条件を想定して作成される。想定される印刷条件は、ある特定のプリンタや印刷機および、出力用紙における色再現特性に基づいてさまざまに設定されたものであり、機器と用紙等に依存した色信号である。このため、一般に、設定した印刷条件で印刷した場合と同じ画像をクライアントがシミュレートして再現するには、色校正またはカラープルーフなどを行う業者へ発注するしかなかった。
【０００３】
近年、このような出力画像のシミュレートを、カラープリンタなどを用いてクライアント側で行うことができるようにするための技術が開発されてきている。例えば専用ソフトウェアを用い、カラープロファイルと呼ばれる色変換パラメータを作成し、そのカラープロファイルを使って色変換シミュレートを行う技術が発案されている。この場合、ソフトウェアの購入や、色測定環境や高価な測定機器を準備する必要があるため、カラープロファイルを設計してユーザに提供する商習慣も起こっている。また、各種製品には、デバイス固有のカラープロファイルが製品に付属されてユーザに提供され始めている。
【０００４】
上述のような墨を含む４色以上の色信号から、同じく墨を含む４色以上の色信号への色変換を行う方式として、例えば特許文献１に記載されているようなニューラルネットワークを応用した方式がある。また、特許文献２に記載されている３次元テーブルを４次元以上の多次元に応用した方式などが考えられる。特に多次元テーブルを利用する方式では、部分的な修正が容易であるなど、その利用しやすさから多用されている。多次元テーブルの利用は、例えば特許文献３や特許文献４、特許文献５にも記載されている。
【０００５】
しかし、特許文献３〜５に記載されているように４入力のテーブルを用いた場合、テーブルのサイズは３入力の場合に比べて格段に大きくなってしまうという問題があった。特に特許文献５においては、ＣＭＹＫを入力とする４入力３出力の前段のテーブルと、Ｌ* ａ* ｂ* 及びＫ’を入力とする４入力３出力の後段のテーブルを有しており、サイズの大きな４次元テーブルを２つ設けている。そのため、テーブルを構成するためのデータ量は膨大となり、コスト及び実装上の障害となっていた。また、後段の４次元テーブルは機器非依存の色信号とともに墨（Ｋ’）信号を用いており、一般的なカラープロファイルが利用できず、汎用性に欠けるという問題もあった。
【０００６】
【特許文献１】特開平２−２４１２７１号公報
【特許文献２】特公昭５８−１６１８０号公報
【特許文献３】特開２００２−１５２５４３号公報
【特許文献４】特開２００２−３３０３０２号公報
【特許文献５】特開２００１−１１９５９５号公報
【発明の開示】
【発明が解決しようとする課題】
【０００７】
本発明は、上述した事情に鑑みてなされたもので、少ないデータ量で簡易に色変換処理を行うことができるとともに、汎用性の高い画像処理装置及び画像処理方法を提供することを目的とするものである。
【課題を解決するための手段】
【０００８】
本発明は、墨を含む入力色信号を墨を含む出力色信号に変換する画像処理装置において、入力色信号のうち墨以外の色成分について出力色信号のうちの墨以外の色成分へカラー変換手段で変換するとともに、カラー変換手段とは独立して、入力色信号のうちの墨成分について出力色信号のうちの墨成分へ墨成分変換手段で変換することを特徴としている。このような構成によって、カラー変換手段では次数を減らすことができるため色変換パラメータのデータ量を減少させることができる。また、墨成分については明度を保存するなど、高精度に変換することができる。
【０００９】
カラー変換手段の構成としては、機器に依存した前記入力色信号のうち墨以外の色成分について機器非依存の色信号へ変換する前段色変換処理手段と、前記機器非依存の色信号を機器に依存した前記出力色信号のうちの墨以外の色成分へ変換する後段色変換処理手段により構成することができ、両手段とも例えば多次元ルックアップテーブルにより構成することができる。
【００１０】
墨成分変換手段も同様に、機器に依存した前記入力色信号のうち墨成分について機器非依存の墨信号へ変換する前段墨成分変換処理手段と、前記機器非依存の墨信号を機器に依存した前記出力色信号のうちの墨成分へ変換する後段墨成分変換処理手段により構成し、汎用性を向上させることができる。この場合の両手段は、１次元ルックアップテーブルにより構成することができる。
【００１１】
このように前段、後段に分離した構成では、一般に用いられているカラープロファイルの適用も可能となり、汎用性を向上させることができる。このとき、与えられたカラープロファイル（パラメータ）をそのまま利用するほか、与えられたカラープロファイルからカラー変換用のパラメータや墨成分変換用のパラメータを生成し、利用することもできる。
【発明の効果】
【００１２】
本発明によれば、墨以外の色成分の色変換と墨成分の変換とを分離することによって、変換時の次数を減少させることができるので、色変換パラメータなどの変換のためのデータ量を格段に減少させることができ、簡易に色変換を行うことができる。例えば多次元ルックアップテーブルなどを用いて変換を行う際にも、次数を減少させることによって、小さなテーブルにより色変換を行うことができるという効果がある。このとき、一般に利用されているカラープロファイルなどの色変換パラメータを利用することも可能であり、汎用性を高めることができる。さらに、墨成分について別途色変換を行うため、例えば明度を保存して変換を行うなど、画質に大きく影響する墨成分について色再現性を向上させることができ、簡易でありながら高い再現性を提供することができる。
【発明を実施するための最良の形態】
【００１３】
図１は、本発明の第１の実施の形態を示すブロック図である。図中、１１は前段カラー変換部、１２は後段カラー変換部、１３は前段墨成分変換部、１４は後段墨成分変換部、１５は出力装置である。ここで、前段カラー変換部１１及び前段墨成分変換部１３入力される入力色信号は、特定の機器に依存した色信号であり、Ｃｉ（シアン），Ｍｉ（マゼンタ），Ｙｉ（イエロー），Ｋｉ（墨）とする。また、後段カラー変換部１２及び後段墨成分変換部１４から出力される出力色信号は、出力装置１５に依存した色信号であり、Ｃｏ（シアン），Ｍｏ（マゼンタ），Ｙｏ（イエロー），Ｋｏ（墨）とする。さらに、前段カラー変換部１１から後段カラー変換部１２に渡される色信号は機器非依存の色信号（Ｌ* ａ* ｂ* ）であり、Ｌｍ、ａｍ、ｂｍとする。なお、前段墨成分変換部１３から後段墨成分変換部１４へ渡される墨成分の信号をＬｋとしている。
【００１４】
前段カラー変換部１１は、機器依存の入力色信号中のＣｉ，Ｍｉ，Ｙｉが入力され、色変換を行って機器非依存のＬｍ，ａｍ，ｂｍを出力する。前段カラー変換部１１としては、例えば３入力３出力の補間付き３次元ルックアップテーブルを用いることができる。この３入力３出力の補間付き３次元ルックアップテーブルは、例えば特許文献２などに記載されている。
【００１５】
後段カラー変換部１２は、機器非依存のＬｍ，ａｍ，ｂｍが入力され、色変換を行って、出力装置１５に依存した出力色信号中のＣｏ，Ｍｏ，Ｙｏを出力する。後段カラー変換部１２も、例えば３入力３出力の補間付き３次元ルックアップテーブルを用いることができる。
【００１６】
前段墨成分変換部１３は、機器依存の入力色信号中のＫｉが入力され、色変換を行って機器非依存のＬｋを出力する。この前段墨成分変換部１３としては、例えば１次元の補間付きルックアップテーブルを用いることができる。
【００１７】
後段墨成分変換部１４は、機器非依存のＬｋが入力され、色変換を行って出力装置１５に依存した出力色信号中のＫｏを出力する。この後段墨成分変換部１４も、例えば１次元の補間付きルックアップテーブルを用いることができる。
【００１８】
次に本発明の第１の実施の形態における動作の一例について説明する。色変換処理を行う前に、あらかじめ、前段カラー変換部１１、後段カラー変換部１２、前段墨成分変換部１３、後段墨成分変換部１４に変換パラメータをセットしておく。前段カラー変換部１１と後段カラー変換部１２については、例えばＣＭＹ→ＣＭＹの３次元のカラープロファイルが与えられている場合には、そのカラープロファイルを用いることができる。また、例えばＣＭＹＫ→ＣＭＹＫの４次元のカラープロファイルが与えられている場合には、ＣＭＹ→ＣＭＹの変換を行うためのパラメータを算出すればよい。もちろん、前段カラー変換部１１については入力側の機器に対応するカラープロファイルを、また、後段カラー変換部１２については出力装置１５に対応するカラープロファイルを用いて、それぞれ色変換パラメータを設定することになる。しかし、後段カラー変換部１２については、出力装置１５が固定されていれば、例えば出荷時などに一旦設定してしまえば以後はそのまま使用することができる。
【００１９】
また、前段墨成分変換部１３と後段墨成分変換部１４については、前段カラー変換部１１及び後段カラー変換部１２とは別に、１次元の変換を行うパラメータを与えることもできるし、あるいは、カラープロファイルを用いてパラメータを作成することもできる。以下、このカラープロファイルを用いる場合について簡単に示す。
【００２０】
図２は、カラープロファイルを利用したパラメータ設定処理の一例の説明図である。入力側の装置に対応する４次元のカラープロファイルが与えられると、Ｓ２１において、与えられた４次元のカラープロファイルから、例えばＫ＝０のデータを抽出することによって、３次元のパラメータを抽出する。そして、Ｓ２２において、抽出した３次元のパラメータを前段カラー変換部１１に設定する。
【００２１】
またＳ２３において、与えられた４次元のカラープロファイルから、例えばＣ＝Ｍ＝Ｙ＝０のデータを抽出することによって、１次元のパラメータを抽出する。一般にカラープロファイルの１次元上の格子点は少ないため、ここではＳ２４においてレンジ（例えば０〜２５５）間で補間演算を行っている。そしてＳ２５において、得られた１次元のパラメータを前段墨成分変換部１３に設定する。
【００２２】
図３は、カラープロファイルを利用したパラメータ設定処理の別の例の説明図である。この例では、入力側の装置に対応する４次元のカラープロファイルとともに、１次元のパラメータを与える。このとき、１次元のパラメータをそのまま前段墨成分変換部１３にセットすることもできるが、４次元のカラープロファイルとともに用いて墨成分の変換特性を調整する例を示している。なお、前段カラー変換部１１に３次元のパラメータをセットするＳ３１，Ｓ３２の処理は図２におけるＳ２１，Ｓ２２の処理と同様である。
【００２３】
Ｓ３３において、与えられた４次元のカラープロファイルをもとに、同じく与えられた１次元のパラメータを調整する。ここでは明度が保存されるように調整し、調整後の１次元のパラメータをＳ３４において前段墨成分変換部１３に設定する。
【００２４】
上述の図２あるいは図３に示したようにして、与えられた４次元のカラープロファイル（あるいはさらに１次元のパラメータ）から、前段カラー変換部１１及び前段墨成分変換部１３へのパラメータの設定を行うことができる。このように、入力色信号に応じて与えられたカラープロファイルに従って、簡単にパラメータの設定を行うことができる。なお、後段カラー変換部１２及び後段墨成分変換部１４のパラメータについては、出力装置１５が固定されているものとし、あらかじめ設定されているものとする。
【００２５】
図４は、本発明の第１の実施の形態における色変換処理の一例を示すフローチャートである。入力側の装置に依存した入力色信号であるＣｉ，Ｍｉ，Ｙｉ，Ｋｉ信号が入力されると、そのうちのＣｉ，Ｍｉ，Ｙｉ信号が前段カラー変換部１１に入力され、Ｋｉ信号が前段墨成分変換部１３に入力される。Ｃｉ，Ｍｉ，Ｙｉ信号は、Ｓ４１において、前段カラー変換部１１で上述のようにして設定された３次元のパラメータに従って色変換処理され、機器非依存の色信号であるＬｍ，ａｍ，ｂｍ信号に変換される。また、Ｋｉ信号はＳ４２において、前段墨成分変換部１３で上述のようにして設定された１次元のパラメータに従って、機器非依存のＬｋ信号に変換される。このＳ４１及びＳ４２の処理によって、機器非依存の色信号Ｌｍ，ａｍ，ｂｍ，Ｌｋが得られる。
【００２６】
前段カラー変換部１１から出力されたＬｍ，ａｍ，ｂｍ信号は後段カラー変換部１２に入力され、Ｓ４３において、後段カラー変換部１２は出力装置１５に対応して設定されている３次元のパラメータに従って、出力装置１５に依存した出力色信号であるＣｏ，Ｍｏ，Ｙｏ信号に変換する。このとき、Ｃｉ，Ｍｉ，Ｙｉ信号とＣｏ，Ｍｏ，Ｙｏ信号は、中間信号である同一の機器非依存の色信号であるＬｍ，ａｍ，ｂｍ信号を介しているので等色関係となる。
【００２７】
また前段墨成分変換部１３から出力されたＬｋ信号は、後段墨成分変換部１４に入力される。Ｓ４４において、後段墨成分変換部１４は出力装置１５に対応して設定されている１次元のパラメータに従って、出力装置１５に依存した出力色信号であるＫｏ信号に変換する。このとき、Ｋｉ信号とＫｏ信号は、中間に機器非依存のＬｋ信号を介しているので等明度関係となり、Ｋ（墨）保存を実現することができる。
【００２８】
このようにして、入力色信号のうち墨（Ｋｉ）を除く色成分（Ｃｉ，Ｍｉ，Ｙｉ）については前段カラー変換部１１及び後段カラー変換部１２によって、それぞれ３次元のパラメータで変換処理し、墨を除く出力色信号（Ｃｏ，Ｍｏ，Ｙｏ）を得る。また、入力色信号のうち墨（Ｋｉ）については、前段墨成分変換部１３及び後段墨成分変換部１４によって、それぞれ１次元のパラメータで変換処理し、出力色信号のうちの墨（Ｋｏ）を得る。このように本発明では、４次元の色信号について３次元のパラメータと１次元のパラメータを用いて処理を行うので、従来のように４次元のパラメータを用いる場合に比べて格段にデータ量を減らすことができる。また、墨成分については１次元のパラメータで変換を行うことによって、Ｋ（墨）保存の変換処理を行うことができ、簡易ながら高精度の色変換を行うことができる。
【００２９】
図５は、本発明の第２の実施の形態を示すブロック図である。図中、図１と同様の部分には同じ符号を付して説明を省略する。１６は墨成分変換部である。この第２の実施の形態では、前段墨成分変換部１３と後段墨成分変換部１４を一体化した墨成分変換部１６を設けた例を示している。従って墨成分変換部１６は、入力色信号のうちの墨成分Ｋｉを受け取り、前段カラー変換部１１及び後段カラー変換部１２とは独立して墨成分に対して変換処理を行い、出力色信号のうちの墨成分Ｋｏを出力するものである。
【００３０】
墨成分変換部１６へのパラメータの設定は、上述の第１の実施の形態における前段墨成分変換部１３に設定される入力色信号中の墨信号Ｋｉから機器独立な墨信号Ｌｋへの変換を行うパラメータと、後段墨成分変換部１４に設定される機器独立な墨信号Ｌｋから出力色信号中の墨信号Ｋｏへの変換を行うパラメータとを、例えば突き当てなどによって合成し、１次元ルックアップテーブルを再構成すればよい。この合成処理は、１次元であれば非常に簡単であり、簡易に色変換を行うことができることに変わりはない。なお、入力色信号中の墨信号Ｋｉから機器独立な墨信号Ｌｋへの変換を行うパラメータについては、上述の第１の実施の形態において例えば図２や図３に示した方法など、種々の方法によって求めることができる。
【００３１】
図６は、本発明の第２の実施の形態における色変換処理の一例を示すフローチャートである。入力側の装置に依存した入力色信号であるＣｉ，Ｍｉ，Ｙｉ，Ｋｉ信号が入力されると、そのうちのＣｉ，Ｍｉ，Ｙｉ信号が前段カラー変換部１１に入力され、Ｋｉ信号が墨成分変換部１６に入力される。Ｃｉ，Ｍｉ，Ｙｉ信号は、Ｓ５１において、前段カラー変換部１１で３次元のパラメータに従って色変換処理され、機器非依存の色信号であるＬｍ，ａｍ，ｂｍ信号に変換される。
【００３２】
前段カラー変換部１１から出力されたＬｍ，ａｍ，ｂｍ信号は後段カラー変換部１２に入力され、Ｓ５２において、後段カラー変換部１２は出力装置１５に対応して設定されている３次元のパラメータに従って、出力装置１５に依存した出力色信号であるＣｏ，Ｍｏ，Ｙｏ信号に変換する。このとき、Ｃｉ，Ｍｉ，Ｙｉ信号とＣｏ，Ｍｏ，Ｙｏ信号は、中間信号である同一の機器非依存の色信号であるＬｍ，ａｍ，ｂｍ信号を介しているので等色関係となる。
【００３３】
一方、入力色信号のうちのＫｉ信号は、Ｓ５３において、前段墨成分変換部１３で出力装置１５に依存した出力色信号であるＫｏ信号に変換される。このとき用いるパラメータが、上述のように中間に機器非依存のＬｋ信号を介して作成されているため、Ｋｉ信号とＫｏ信号とは等明度関係となり、Ｋ（墨）保存を実現することができる。
【００３４】
このようにして、入力色信号のうち墨（Ｋｉ）を除く色成分（Ｃｉ，Ｍｉ，Ｙｉ）については前段カラー変換部１１及び後段カラー変換部１２によって、それぞれ３次元のパラメータで変換処理し、墨を除く出力色信号（Ｃｏ，Ｍｏ，Ｙｏ）を得る。また、入力色信号のうち墨（Ｋｉ）については、墨成分変換部１６によって直接、出力色信号のうちの墨（Ｋｏ）を得る。このように、この第２の実施の形態では、墨成分に対する変換パラメータを１セットのみとしたので、上述の第１の実施の形態に比べてさらにデータ量を減少させることができる。また、墨成分について、Ｋ（墨）保存の変換処理を行うことができるのは、上述の第１の実施の形態と同様である。
【００３５】
図７は、本発明の第３の実施の形態を示すブロック図である。図中、図１及び図５と同様の部分には同じ符号を付して説明を省略する。１７はカラー変換部である。この第３の実施の形態では、さらに、前段カラー変換部１１と後段カラー変換部１２を一体化したカラー変換部１７を設けた例を示している。従ってカラー変換部１７は、入力色信号のうちのＣｉ，Ｍｉ，Ｙｉ信号を受け取り、これらの色成分に対して色変換処理を行い、出力色信号のうちのＣｏ，Ｍｏ，Ｙｏ信号を出力するものである。
【００３６】
カラー変換部１７へのパラメータの設定は、上述の第１の実施の形態における前段カラー変換部１１に設定される３次元のパラメータと、後段カラー変換部１２に設定される３次元のパラメータとを合成して得た３次元のパラメータを設定すればよい。また、このカラー変換部１７を用いた変換処理は、墨成分を除く色成分における変換処理が１回で行われる以外は上述第１，第２の実施の形態と同様であるので、ここでは説明を省略する。
【００３７】
この第３の実施の形態によれば、３次元パラメータのデータ量を半減することができ、上述の第１，第２の実施の形態に比べてさらにデータ量を減少させることができる。
【図面の簡単な説明】
【００３８】
【図１】本発明の第１の実施の形態を示すブロック図である。
【図２】カラープロファイルを利用したパラメータ設定処理の一例の説明図である。
【図３】カラープロファイルを利用したパラメータ設定処理の別の例の説明図である。
【図４】本発明の第１の実施の形態における色変換処理の一例を示すフローチャートである。
【図５】本発明の第２の実施の形態を示すブロック図である。
【図６】本発明の第２の実施の形態における色変換処理の一例を示すフローチャートである。
【図７】本発明の第３の実施の形態を示すブロック図である。
【符号の説明】
【００３９】
１１…前段カラー変換部、１２…後段カラー変換部、１３…前段墨成分変換部、１４…後段墨成分変換部、１５…出力装置、１６…墨成分変換部、１７…カラー変換部。
【図１】
2005094551.tif 000003
【図２】
2005094551.tif 000004
【図３】
2005094551.tif 000005
【図４】
2005094551.tif 000006
【図５】
2005094551.tif 000007
【図６】
2005094551.tif 000008
【図７】
2005094551.tif 000009